(57)【要約】【課題】ランプユニットを使用済にすることなく点灯確認が可能なプロジェクターを提供する。【解決手段】プロジェクター１は、未使用時では導通状態であって第１の点灯モードに切り換えられると溶断されるヒューズ１１ｂと、ランプ１１ａとを有するランプユニット１１と、ランプ１１ａを制御するランプ制御部２３と、ヒューズ１１ｂを溶断させるヒューズ溶断回路２４と、ヒューズ１１ｂの導通状態を検出するヒューズ導通状態検出部２５と、ランプユニット１１がランプカバー部材によって覆われているか否かを検出するカバー検出部２６と、ランプ点灯操作を受け付ける点灯操作部（入力操作受付部２１）と、ランプ点灯操作が受け付けられた際に、ランプユニット１１がランプカバー部材によって覆われておらず、且つ、ヒューズ１１ｂが導通状態であると、導通状態を保持させて、ランプ１１ａを点灯させる第２の点灯モードに切り換える制御部２０とを備える。【選択図】図１
2011022304.tif 000002
【特許請求の範囲】
【請求項１】
光源から射出された光を変調して投写するプロジェクターであって、
未使用時においては導通状態であって前記プロジェクターが通常投写を行う第１の点灯モードに切り換えられると溶断されるヒューズと、光源としてのランプとを有するランプユニットと、
前記ランプの点灯および消灯を制御するランプ制御部と、
前記ヒューズを溶断させるためのヒューズ溶断回路と、
前記ヒューズが導通状態であるか否かを検出するヒューズ導通状態検出部と、
前記プロジェクターに装着された前記ランプユニットを覆うためのランプカバー部材と、
前記ランプユニットが前記ランプカバー部材によって覆われているか否かを検出するカバー検出部と、
前記ランプを点灯させるためのランプ点灯操作を受け付ける点灯操作部と、
前記ランプの点灯モードを切り換え可能な制御部と、
を備え、
前記点灯操作部が前記ランプ点灯操作を受け付けた際に、前記カバー検出部によって前記ランプユニットが前記ランプカバー部材によって覆われていないことが検出され、且つ、前記ヒューズ導通状態検出部によって前記ヒューズが導通状態であることが検出されると、前記制御部は、前記ヒューズ溶断回路に前記ヒューズの導通状態を保持させて、前記ランプ制御部に前記ランプを点灯させる第２の点灯モードに切り換えることを特徴とするプロジェクター。
【請求項２】
請求項１に記載のプロジェクターであって、
前記制御部によって前記第２の点灯モードに切り換えられた後、所定の時間の経過後に、前記ランプ制御部は前記ランプを消灯させることを特徴とするプロジェクター。
【請求項３】
請求項１または２に記載のプロジェクターであって、
入力操作を受け付ける入力操作受付部をさらに有し、
前記制御部によって前記第２の点灯モードに切り換えられた後、前記入力操作受付部が所定の入力操作を受け付けると、前記ランプ制御部は前記ランプを消灯させることを特徴とするプロジェクター。
【請求項４】
請求項３に記載のプロジェクターであって、
前記所定の入力操作は、前記入力操作受付部が受け付ける任意の入力操作とすることを特徴とするプロジェクター。
【請求項５】
請求項２乃至４のいずれか一項に記載のプロジェクターであって、
前記制御部によって前記第２の点灯モードに切り換えられた後、前記ランプ制御部によって前記ランプが消灯されるまで、前記ランプユニットが未使用品である旨を報知する報知画像を投写する報知画像投写部をさらに有することを特徴とするプロジェクター。
【請求項６】
請求項５に記載のプロジェクターであって、
前記報知画像投写部によって投写される前記報知画像には、さらに、前記ランプユニットが前記ランプカバー部材によって覆われていない旨の表示が含まれていることを特徴とするプロジェクター。
【請求項７】
請求項５または６に記載のプロジェクターであって、
前記報知画像投写部によって投写される前記報知画像には、さらに、前記所定の時間が経過すると前記ランプが消灯される旨の表示が含まれていることを特徴とするプロジェクター。
【請求項８】
未使用時においては導通状態であってプロジェクターが通常投写を行う第１の点灯モードに切り換えられると溶断されるヒューズと、光源としてのランプとを有するランプユニットと、前記ヒューズを溶断させるためのヒューズ溶断回路と、前記プロジェクターに装着された前記ランプユニットを覆うためのランプカバー部材と、
を備えたプロジェクターの制御方法であって、
前記ランプを点灯させるためのランプ点灯操作を受け付ける点灯操作受付ステップと、
前記点灯操作受付ステップによって前記ランプ点灯操作が受け付けられると、前記ランプユニットが前記ランプカバー部材により覆われているか否かを検出するカバー検出ステップと、
前記カバー検出ステップによって前記ランプユニットが前記ランプカバー部材により覆われていない場合に、前記ヒューズが導通状態であるか否かを検出する導通状態検出ステップと、
前記導通状態検出ステップによって前記ヒューズが導通状態であることを検出した場合に、前記ヒューズ溶断回路に前記ヒューズの導通状態を保持させて、前記ランプを点灯させる第２の点灯モードに切り換える制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、プロジェクター等において、装着されているランプユニットのランプの寿命を監視する観点から、ランプ点灯累積時間をカウントしているものがある。このようなプロジェクターにおいては、ランプユニットを新品に交換した際には、プロジェクターのランプ点灯累積時間を初期化する必要がある。このため、新品のランプユニットが装着されたことを認識可能なランプユニットとプロジェクターが求められていた。
【０００３】
特許文献１には、ランプユニットにヒューズが搭載されており、当該ランプユニットがプロジェクター等のランプユニット制御装置に装着されて、ランプ点灯されると、温度または電流によってヒューズが溶断されるものが開示されている。そして、このようなプロジェクター（ランプユニット制御装置）は、ヒューズが溶断されていない状態（以降、「導通状態」とも呼ぶ）であるか溶断されている状態であるかを確認することによって、ランプユニットが新品か否かを判断し、新品であればランプ点灯累積時間を初期化することができる。
【先行技術文献】
【特許文献】
【０００４】
【特許文献１】特開平１０−１７７８９８号公報
【発明の概要】
【発明が解決しようとする課題】
【０００５】
しかしながら、特許文献１に記載のランプユニットおよびプロジェクターでは、販売店等で、交換用のランプユニットの点灯確認を行う場合などに、ランプユニットをプロジェクターに装着して点灯させると、ランプユニットのヒューズが溶断されてしまう。そして、このような点灯確認を行った後のランプユニットを、ユーザーが所有するプロジェクターに装着しても、当該プロジェクターはランプユニットを新品として認識することができないため、ランプ点灯累積時間を初期化することができないという問題があった。このような問題を解決するために、交換用のランプユニットの点灯確認を行うための専用の検査機を作成することも可能であるが、多くの販売店等に設置するためには、多大な費用が掛かってしまうという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を変調して投写するプロジェクターであって、未使用時においては導通状態であって前記プロジェクターが通常投写を行う第１の点灯モードに切り換えられると溶断されるヒューズと、光源としてのランプとを有するランプユニットと、前記ランプの点灯および消灯を制御するランプ制御部と、前記ヒューズを溶断させるためのヒューズ溶断回路と、前記ヒューズが導通状態であるか否かを検出するヒューズ導通状態検出部と、前記プロジェクターに装着された前記ランプユニットを覆うためのランプカバー部材と、前記ランプユニットが前記ランプカバー部材によって覆われているか否かを検出するカバー検出部と、前記ランプを点灯させるためのランプ点灯操作を受け付ける点灯操作部と、前記ランプの点灯モードを切り換え可能な制御部と、を備え、前記点灯操作部が前記ランプ点灯操作を受け付けた際に、前記カバー検出部によって前記ランプユニットが前記ランプカバー部材によって覆われていないことが検出され、且つ、前記ヒューズ導通状態検出部によって前記ヒューズが導通状態であることが検出されると、前記制御部は、前記ヒューズ溶断回路に前記ヒューズの導通状態を保持させて、前記ランプ制御部に前記ランプを点灯させる第２の点灯モードに切り換えることを特徴とする。
【０００８】
このようなプロジェクターによれば、ランプユニットは、第１の点灯モードに切り換えられると溶断されるヒューズと、ランプとを有する。ランプ制御部は、ランプの点灯および消灯を制御する。ヒューズ溶断回路は、ヒューズを溶断することができる。ヒューズ導通状態検出部は、ヒューズが導通状態であるか否かを検出する。カバー検出部は、ランプユニットがランプカバー部材によって覆われているか否かを検出する。点灯操作部は、ランプ点灯操作を受け付ける。そして、ランプ点灯操作を受け付けた際に、ランプユニットがランプカバー部材によって覆われていないことが検出され、且つ、ヒューズが導通状態であることが検出されると、制御部は、ヒューズ溶断回路にヒューズの導通状態を保持させて、ランプを点灯させる第２の点灯モードに切り換える。つまり、第２の点灯モードでは、ヒューズを溶断せずにランプを点灯する。これにより、ランプユニットの点灯確認を行っても、ヒューズが溶断されないため、点灯確認を実施したランプユニットを他のプロジェクターに装着して、通常投写を開始した際に、当該プロジェクターは当該ランプユニットを新品として認識することができる。そして、当該プロジェクターは、ランプ点灯累積時間を初期化することが可能となる。
【０００９】
［適用例２］上記適用例に係るプロジェクターにおいて、前記制御部によって前記第２の点灯モードに切り換えられた後、所定の時間の経過後に、前記ランプ制御部は前記ランプを消灯させることを特徴とする。
【００１０】
このようなプロジェクターによれば、第２の点灯モードに切り換えられた後、所定の時間経過後に、ランプ制御部はランプを消灯させる。これにより、ランプの点灯確認の後、所定の時間でランプが消灯されるので、ユーザーがランプを消灯させる必要がなくなり、利便性が向上する。
【００１１】
［適用例３］上記適用例に係るプロジェクターにおいて、入力操作を受け付ける入力操作受付部をさらに有し、前記制御部によって前記第２の点灯モードに切り換えられた後、前記入力操作受付部が所定の入力操作を受け付けると、前記ランプ制御部は前記ランプを消灯させることを特徴とする。
【００１２】
このようなプロジェクターによれば、入力操作受付部は、入力操作を受け付ける。第２の点灯モードに切り換えられた後、入力操作受付部が所定の入力操作を受け付けると、ランプ制御部はランプを消灯させる。これにより、ユーザーは、ランプユニットの点灯確認を行った後、所望のタイミングでランプを消灯させることができるため、利便性が高い。
【００１３】
［適用例４］上記適用例に係るプロジェクターにおいて、前記所定の入力操作は、前記入力操作受付部が受け付ける任意の入力操作とすることを特徴とする。
【００１４】
このようなプロジェクターによれば、第２の点灯モードに切り換えられた後、入力操作受付部が任意の入力操作を受け付けると、ランプ制御部はランプを消灯させる。これにより、ユーザーは、ランプユニットの点灯確認を行った後、任意の入力操作によって所望のタイミングでランプを消灯させることができるため、利便性が高い。
【００１５】
［適用例５］上記適用例に係るプロジェクターにおいて、前記制御部によって前記第２の点灯モードに切り換えられた後、前記ランプ制御部によって前記ランプが消灯されるまで、前記ランプユニットが未使用品である旨を報知する報知画像を投写する報知画像投写部をさらに有することを特徴とする。
【００１６】
このようなプロジェクターによれば、報知画像投写部は、第２の点灯モードに切り換えられた後、ランプが消灯されるまで、ランプユニットが未使用品である旨を報知する報知画像を投写する。これにより、ランプユニットが未使用品であることをユーザーが認識することが可能になるため、有益である。
【００１７】
［適用例６］上記適用例に係るプロジェクターにおいて、前記報知画像投写部によって投写される前記報知画像には、さらに、前記ランプユニットが前記ランプカバー部材によって覆われていない旨の表示が含まれていることを特徴とする。
【００１８】
このようなプロジェクターによれば、報知画像には、ランプユニットがランプカバー部材によって覆われていない旨の表示が含まれている。換言すれば、報知画像には、ランプカバー部材が取り付けられていない旨の表示が含まれている。これにより、プロジェクターにランプカバー部材が取り付けられていないことをユーザーが認識することが可能になるため、有益である。
【００１９】
［適用例７］上記適用例に係るプロジェクターにおいて、前記報知画像投写部によって投写される前記報知画像には、さらに、前記所定の時間が経過すると前記ランプが消灯される旨の表示が含まれていることを特徴とする。
【００２０】
このようなプロジェクターによれば、報知画像には、所定の時間が経過するとランプが消灯される旨の表示が含まれている。これにより、所定の時間が経過するとランプが消灯されることをユーザーが認識することが可能になるため、有益である。
【００２１】
［適用例８］本実施形態に係るプロジェクターの制御方法は、未使用時においては導通状態であってプロジェクターが通常投写を行う第１の点灯モードに切り換えられると溶断されるヒューズと、光源としてのランプとを有するランプユニットと、前記ヒューズを溶断させるためのヒューズ溶断回路と、前記プロジェクターに装着された前記ランプユニットを覆うためのランプカバー部材と、を備えたプロジェクターの制御方法であって、前記ランプを点灯させるためのランプ点灯操作を受け付ける点灯操作受付ステップと、前記点灯操作受付ステップによって前記ランプ点灯操作が受け付けられると、前記ランプユニットが前記ランプカバー部材により覆われているか否かを検出するカバー検出ステップと、前記カバー検出ステップによって前記ランプユニットが前記ランプカバー部材により覆われていない場合に、前記ヒューズが導通状態であるか否かを検出する導通状態検出ステップと、前記導通状態検出ステップによって前記ヒューズが導通状態であることを検出した場合に、前記ヒューズ溶断回路に前記ヒューズの導通状態を保持させて、前記ランプを点灯させる第２の点灯モードに切り換える制御ステップと、を備えることを特徴とする。
【００２２】
このようなプロジェクターの制御方法によれば、ランプ点灯操作が受け付けられた際に、ランプユニットがランプカバー部材により覆われていなければ、ヒューズが導通状態であるか否かを検出する。そして、ヒューズが導通状態であれば、導通状態を保持してランプを点灯させる第２の点灯モードに切り換える。これにより、ランプユニットの点灯確認を行っても、ヒューズが溶断されないため、点灯確認を実施したランプユニットを他のプロジェクターに装着して、通常投写を開始した際に、当該プロジェクターは当該ランプユニットを新品として認識することができる。
【００２３】
また、上述したプロジェクターおよびその制御方法がプロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、光磁気ディスク、不揮発性メモリーカード、プロジェクターの内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２４】
【図１】実施形態に係るプロジェクターの概略構成を示すブロック図。
【図２】プロジェクターの外観を示す斜視図であり、（ａ）は、プロジェクターの背面から見た全体図、（ｂ）は、プロジェクターのランプカバー近傍を示す図、（ｃ）は、プロジェクターからランプカバーを取り外した状態を示す図。
【図３】プロジェクターの状態遷移図。
【図４】ランプ試験画像の説明図。
【図５】プロジェクターの待機状態における処理のフローチャート。
【図６】プロジェクターのランプ試験状態における処理のフローチャート。
【図７】プロジェクターの通常投写状態における処理のフローチャート。
【発明を実施するための形態】
【００２５】
以下、実施形態について説明する。
【００２６】
（実施形態）
図１は、本実施形態に係るプロジェクターの概略構成を示すブロック図である。図１を使用して、プロジェクター１の内部構成について説明する。
【００２７】
プロジェクター１は、画像投写部１０、制御部２０、入力操作受付部２１、所定時間記憶部２２、ランプ制御部２３、ヒューズ溶断回路２４、ヒューズ導通状態検出部２５、カバー検出部２６、ランプ点灯累積時間記憶部２７、画像信号入力部３１、画像処理部３２、ＯＳＤ処理部３３等を備えている。
【００２８】
画像投写部１０は、光源としてのランプ１１ａを備えるランプユニット１１と、光変調装置としての液晶ライトバルブ１２と、投写光学系としての投写レンズ１３と、液晶ライトバルブ１２を駆動するライトバルブ駆動部１４とを備えている。
【００２９】
ランプユニット１１は、超高圧水銀ランプやメタルハライドランプ等の放電型光源としてのランプ１１ａと、ヒューズ１１ｂとを有している。また、ランプユニット１１は、ランプ１１ａおよびヒューズ１１ｂをプロジェクター１に接続するためのコネクター（図示せず）を有している。ランプユニット１１は、プロジェクター１から取り外し可能となっており、ランプ１１ａが劣化した場合などには、ランプユニット１１を交換することが可能である。ヒューズ１１ｂは、未使用時（ランプユニット１１が新品である状態）においては、導通状態となっているが、ランプユニット１１をプロジェクター１に装着して、通常投写を行う通常投写状態に切り換えられると、ヒューズ溶断回路２４によって溶断されて溶断状態となる。したがって、ヒューズ１１ｂが導通状態か溶断状態であるかによって、プロジェクター１の制御部２０は、ランプユニット１１が新品であるか否かを判断することができる。
なお、ランプ１１ａは、超高圧水銀ランプやメタルハライドランプ等の放電型光源に限定するものではない。
【００３０】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３１】
ランプユニット１１のランプ１１ａから射出された光は、この液晶ライトバルブ１２を透過することによって変調され、変調後の光が投写レンズ１３によって投写されることにより、スクリーンＳＣ等に画像信号に応じた画像が表示される。
【００３２】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
また、制御部２０には、時間の計測を行うタイマー２０ａが備えられている。本実施形態では、タイマー２０ａは、所定の時間およびランプ点灯累積時間を計時する。
【００３３】
入力操作受付部２１は、プロジェクター１に対する各種の入力操作を受け付けるための複数のキー等を備えている。入力操作受付部２１が備えるキーとしては、電源のオン／オフを行うための「電源キー」や、入力ソースを切り換えるための「入力切換キー」、各種設定を行うためのメニュー画面の表示／非表示を切り換える「メニューキー」、メニュー画面におけるカーソルの移動に用いられる「カーソルキー」、各種設定を決定するための「決定キー」等がある。
【００３４】
ユーザーが入力操作受付部２１を操作すると、入力操作受付部２１は、ユーザーの操作内容に応じた操作信号を制御部２０に出力する。なお、入力操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御部２０に伝達する。なお、本実施形態では、入力操作受付部２１に備わる電源キーが点灯操作部に相当し、電源キーによる電源オン操作がランプ点灯操作に相当する。
【００３５】
所定時間記憶部２２は、不揮発性のメモリーからなり、所定の時間の設定値を記憶する。所定時間記憶部２２は、制御部２０によって読み出しが行われる。本実施形態では、所定の時間は２０秒とする。なお、所定の時間はこれに限定するものではない。
【００３６】
ランプ制御部２３は、制御部２０の指示に基づいて、ランプユニット１１に備わるランプ１１ａに対する電力の供給と停止とを制御し、ランプ１１ａの点灯および消灯を切り換える。
【００３７】
ヒューズ溶断回路２４は、制御部２０の指示に基づいて、ランプユニット１１に備わるヒューズ１１ｂに対し、ヒューズ溶断用の電流を付与する。ヒューズ溶断回路２４によって、ヒューズ溶断用の電流が付与されると、ヒューズ１１ｂは溶断される。
【００３８】
ヒューズ導通状態検出部２５は、制御部２０の指示に基づいて、ランプユニット１１に備わるヒューズ１１ｂが、導通状態であるか否か、即ち導通状態か溶断状態かを検出する。そして、ヒューズ導通状態検出部２５は、検出結果を制御部２０に通知する。
【００３９】
カバー検出部２６は、制御部２０の指示に基づいて、ランプカバーが取り付けられているか否かを検出する。ランプカバーは、プロジェクター１に装着されたランプユニット１１を覆うためのランプカバー部材である。
【００４０】
ここで、プロジェクター１に取り付けられるランプカバー、およびランプユニット１１について説明する。
図２は、プロジェクター１の外観を示す斜視図であり、同図（ａ）は、プロジェクター１の背面から見た全体図、同図（ｂ）は、プロジェクター１のランプカバー近傍を示す図、同図（ｃ）は、プロジェクター１からランプカバーを取り外した状態を示す図である。
【００４１】
図２（ａ）に示すように、プロジェクター１は、装置本体が筐体１００によって覆われた構成を有している。筐体１００の背面１００ｂには、複数のキー等を有する入力操作受付部２１が備えられている。また、背面１００ｂには、画像信号を入力するための画像信号入力部３１が備えられている。
【００４２】
筐体１００の側面１００ｓには、ランプカバー１１０が取り付けられている。図２（ｂ）および図２（ｃ）に示すように、筐体１００の側面１００ｓにはランプユニット１１を装着するための開口部１２０が形成されており、ランプカバー１１０は、当該開口部１２０に取り付けられてランプユニット１１を覆い、保護する。図２（ｃ）の状態においては、ランプユニット１１を取り外すことが可能となっており、ユーザーは、ランプユニット１１を交換することができる。
【００４３】
図１に戻り、カバー検出部２６が、ランプカバー１１０が取り付けられているか否かを検出するための具体的な方法としては、例えば、ランプカバー１１０の取り付け時にランプカバー１１０に押されてオンとオフとが切り換わるスイッチを開口部１２０の近傍に備え、当該スイッチがオンかオフかによって、ランプカバー１１０が取り付けられているか否かを検出する方法を用いることができる。そして、カバー検出部２６は、検出結果を制御部２０に通知する。
【００４４】
ランプ点灯累積時間記憶部２７は、不揮発性のメモリーからなり、タイマー２０ａが計時するランプ１１ａの点灯累積時間であるランプ点灯累積時間を記憶する。ランプ点灯累積時間記憶部２７は、制御部２０によって書き込みおよび読み出しが行われる。ランプ点灯累積時間が予め定められたランプ寿命の時間に達すると、制御部２０は、ＯＳＤ処理部３３に指示を出して、ランプユニット１１の交換を促す画像を表示させる。
【００４５】
画像信号入力部３１には、パーソナルコンピューターやビデオ再生装置、メモリーカード、ＵＳＢストレージ、デジタルカメラ等、外部の画像供給装置（図示せず）とケーブルを介した接続を行うための各種の画像入力端子が備えられており、画像供給装置から画像信号が入力される。画像信号入力部３１は、入力される画像信号を、画像処理部３２で処理可能な形式の画像データに変換して、画像処理部３２に出力する。
【００４６】
画像処理部３２は、制御部２０の指示に基づいて、画像信号入力部３１から入力される画像データに対して、明るさ、コントラスト、シャープネス、色合い等の調整や、ガンマ補正等の各種画質調整を施す。画像処理部３２は、このような調整および処理を行った画像データをＯＳＤ処理部３３に出力する。
【００４７】
ＯＳＤ処理部３３は、制御部２０の指示に基づいて、メニュー画面やメッセージ画面等のＯＳＤ（オンスクリーンディスプレイ）画像を、画像処理部３２から入力される画像データに重畳する処理を行う。ＯＳＤ処理部３３は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３３は、必要なＯＳＤ画像データをＯＳＤメモリーから読み出し、入力画像の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３３は、画像処理部３２から出力される画像データを、そのままライトバルブ駆動部１４に出力する。
【００４８】
ライトバルブ駆動部１４が、ＯＳＤ処理部３３から入力される画像データに従って液晶ライトバルブ１２を駆動すると、液晶ライトバルブ１２は、画像データに応じた画像を形成し、この画像が投写レンズ１３から投写される。
【００４９】
次に、プロジェクター１の状態遷移について説明する。図３は、本実施形態に係るプロジェクター１の状態遷移図である。図３に示すように、プロジェクター１は、待機状態ＳＴ１０、ランプ試験状態ＳＴ１１、および通常投写状態ＳＴ１２に遷移可能となっている。
【００５０】
プロジェクター１は、外部からＡＣ１００Ｖ等の商用電源が供給されると、待機状態ＳＴ１０となる。待機状態ＳＴ１０は、プロジェクター１が、電源オン操作が行われるのを待機している状態である。待機状態ＳＴ１０において、電源オン操作が行われると、プロジェクター１は、ランプカバー１１０が開状態でヒューズ１１ｂが導通状態であれば、ランプ試験状態ＳＴ１１に遷移する。また、電源オン操作が行われたときに、ランプカバー１１０が開状態でヒューズが溶断状態であれば、状態遷移しない。また、電源オン操作が行われたときに、ランプカバー１１０が閉状態の場合、通常投写状態ＳＴ１２に遷移する。ここで、ランプカバー１１０が取り付けられている状態を「ランプカバー閉状態」とし、ランプカバー１１０が取り外されている状態が「ランプカバー開状態」としている。
【００５１】
ランプ試験状態ＳＴ１１は、プロジェクター１が、ランプ１１ａを点灯し、ランプ試験画像を投写している状態である。ランプ試験状態ＳＴ１１において、所定の時間が経過するか、または、いずれかのキーの入力操作が行われると、プロジェクター１は、待機状態ＳＴ１０に遷移する。本実施形態では、ランプ試験状態ＳＴ１１が第２の点灯モードに相当する。
【００５２】
図４は、ランプ試験画像Ｇ１の説明図である。図４に示すように、ランプ試験画像Ｇ１はＯＳＤ画像であり、ＯＳＤメモリーにＯＳＤ画像データとして記憶されている。ランプ試験画像Ｇ１の画面には、ランプユニット１１がランプカバー１１０によって覆われていない旨を表す「ランプカバーが開いています。」という文字列が表示されている。さらに、ランプ試験画像Ｇ１の画面には、ランプユニット１１が未使用品である旨を表す「ランプユニットは新品です。」という文字列が表示されている。さらに、ランプ試験画像Ｇ１の画面には、所定の時間が経過するか、または、任意の入力操作を受け付けると、ランプ１１ａを消灯させる旨を表す「２０秒後、またはいずれかのキーを押すと、電源をＯＦＦします。」という文字列が表示されている。本実施形態では、ランプ試験画像Ｇ１が報知画像に相当し、ランプ試験画像Ｇ１を投写する際のＯＳＤ処理部３３が報知画像投写部に相当する。
【００５３】
図３に戻り、通常投写状態ＳＴ１２は、プロジェクター１が、入力された画像信号に基づく画像を投写している状態、即ち通常投写を行っている状態である。通常投写状態ＳＴ１２において、電源オフ操作が行われた場合、プロジェクター１は、待機状態ＳＴ１０に遷移する。本実施形態では、通常投写状態ＳＴ１２が第１の点灯モードに相当する。
【００５４】
次に、プロジェクター１の各状態における処理と状態遷移について説明する。
図５は、プロジェクター１の待機状態ＳＴ１０における処理のフローチャートである。
【００５５】
待機状態ＳＴ１０において、制御部２０は、入力操作受付部２１に備わる電源キーが押下され、電源オン操作が行われたか否かを判断する（ステップＳ１０１）。電源オン操作が行われていない場合（ステップＳ１０１：ＮＯ）、ステップＳ１０１をループして、電源オン操作が行われるのを待ち続ける。
【００５６】
電源オン操作が行われた場合（ステップＳ１０１：ＹＥＳ）、制御部２０は、カバー検出部２６に指示を出して、ランプカバー１１０が取り付けられているか否かを検出させる（ステップＳ１０２）。ランプカバー１１０が取り付けられていない場合（ステップＳ１０２：ＮＯ）、制御部２０は、ヒューズ導通状態検出部２５に指示を出して、ヒューズ１１ｂが導通状態か否かを検出させる（ステップＳ１０３）。ヒューズ１１ｂが導通状態でない場合、つまり、ヒューズ１１ｂが溶断されている場合（ステップＳ１０３：ＮＯ）、ステップＳ１０１に移行し、電源オン操作を監視する。この場合は、待機状態ＳＴ１０からの状態遷移は行われない。
【００５７】
ヒューズ１１ｂが導通状態である場合、つまり、ヒューズ１１ｂが溶断されていない場合（ステップＳ１０３：ＹＥＳ）、制御部２０は、初期処理を行う（ステップＳ１０４）。本実施形態では、初期処理は、ＣＰＵの初期化やＲＡＭ等のメモリーの初期化を行う。また、その他のソフトウェアやハードウェアの初期化等も行われる。次に、制御部２０は、ランプ制御部２３に指示を出して、ランプ１１ａを点灯させる（ステップＳ１０５）。
【００５８】
制御部２０は、ＯＳＤ処理部３３に指示を出して、ランプ試験画像Ｇ１の投写を開始させる（ステップＳ１０６）。そして、制御部２０は、所定の時間を計時するためのタイマー２０ａをスタートする（ステップＳ１０７）。そして、制御部２０は、プロジェクター１をランプ試験状態ＳＴ１１に遷移させる（ステップＳ１０８）。そして、待機状態ＳＴ１０におけるプロジェクター１の処理を終了する。
【００５９】
ランプカバー１１０が取り付けられている場合（ステップＳ１０２：ＹＥＳ）、制御部２０は、初期処理を行う（ステップＳ１０９）。初期処理は、前述した初期処理と同様とする。次に、制御部２０は、ランプ制御部２３に指示を出して、ランプ１１ａを点灯させる（ステップＳ１１０）。次に、制御部２０は、ヒューズ導通状態検出部２５に指示を出して、ヒューズ１１ｂが導通状態か否かを検出させる（ステップＳ１１１）。
【００６０】
ヒューズ１１ｂが導通状態である場合、つまり、ヒューズ１１ｂが溶断されていない場合（ステップＳ１１１：ＹＥＳ）、制御部２０は、ヒューズ溶断回路２４に指示を出して、ヒューズ１１ｂを溶断させる（ステップＳ１１２）。そして、制御部２０は、ランプ点灯累積時間記憶部２７に記憶されたランプ点灯累積時間を初期化する（ステップＳ１１３）。
【００６１】
制御部２０は、画像処理部３２に指示を出して、画像信号入力部３１に入力される画像信号に基づく画像の投写を開始させる（ステップＳ１１４）。そして、制御部２０は、プロジェクター１を通常投写状態ＳＴ１２に遷移させる（ステップＳ１１５）。そして、待機状態ＳＴ１０におけるプロジェクター１の処理を終了する。
【００６２】
ヒューズ１１ｂが導通状態でない場合、つまり、ヒューズ１１ｂが溶断されている場合（ステップＳ１１１：ＮＯ）、ステップＳ１１４に移行して、制御部２０は、画像信号に基づく画像の投写を開始させて、通常投写状態ＳＴ１２に遷移させる。そして、待機状態ＳＴ１０におけるプロジェクター１の処理を終了する。
【００６３】
次に、ランプ試験状態ＳＴ１１における処理と状態遷移について説明する。
図６は、プロジェクター１のランプ試験状態ＳＴ１１における処理のフローチャートである。
【００６４】
ランプ試験状態ＳＴ１１において、制御部２０は、タイマー２０ａの値が、所定時間記憶部２２に記憶されている所定の時間に到達したか否かを判断する（ステップＳ２０１）。所定の時間に到達していなければ（ステップＳ２０１：ＮＯ）、制御部２０は、入力操作受付部２１に対して任意のキーが押下されたか否かを判断する（ステップＳ２０２）。本実施形態では、任意のキーの押下が任意の入力操作に相当する。
【００６５】
任意のキーが押下されていなければ（ステップＳ２０２：ＮＯ）、ステップＳ２０１に戻り、所定の時間到達の判断と任意のキー押下の判断とを繰り返す。所定の時間に到達した場合（ステップＳ２０１：ＹＥＳ）、または、任意のキーが押下された場合（ステップＳ２０２：ＹＥＳ）、制御部２０は、ＯＳＤ処理部３３に指示を出して、ランプ試験画像Ｇ１の投写を終了させる（ステップＳ２０３）。
【００６６】
制御部２０は、ランプ制御部２３に指示を出して、ランプ１１ａを消灯させる（ステップＳ２０４）。次に、制御部２０は、電源オフ処理を行う（ステップＳ２０５）。本実施形態では、電源オフ処理は、プロジェクター１の電源オフに伴って行われる処理を示し、電源オフに対応したソフトウェアやハードウェアの処理等を含む。そして、制御部２０は、プロジェクター１を待機状態ＳＴ１０に遷移させる（ステップＳ２０６）。そして、ランプ試験状態ＳＴ１１におけるプロジェクター１の処理を終了する。
【００６７】
次に、通常投写状態ＳＴ１２における処理と状態遷移について説明する。
図７は、プロジェクター１の通常投写状態ＳＴ１２における処理のフローチャートである。
【００６８】
通常投写状態ＳＴ１２において、制御部２０は、入力操作受付部２１に備わる電源キーが押下され、電源オフ操作が行われたか否かを判断する（ステップＳ３０１）。電源オフ操作が行われていた場合（ステップＳ３０１：ＹＥＳ）、制御部２０は、画像処理部３２に指示を出して、画像の投写を停止させる（ステップＳ３０２）。次に、制御部２０は、ランプ制御部２３に指示を出して、ランプ１１ａを消灯させる（ステップＳ３０３）。
【００６９】
制御部２０は、電源オフ処理を行う（ステップＳ３０４）。電源オフ処理は、前述した電源オフ処理と同様である。そして、制御部２０は、プロジェクター１を待機状態ＳＴ１０に遷移させる（ステップＳ３０５）。そして、通常投写状態ＳＴ１２におけるプロジェクター１の処理を終了する。
【００７０】
電源オフ操作が行われていなければ（ステップＳ３０１：ＮＯ）、制御部２０は、その他の操作が行われたか否かを判断する（ステップＳ３０６）。その他の操作が行われていれば（ステップＳ３０６：ＹＥＳ）、制御部２０は、その他の操作に対応した処理を行う（ステップＳ３０７）。そして、ステップＳ３０１に移行する。ここで、その他の操作とは、プロジェクター１の入力操作受付部２１に備わる各種キーの操作を示すが、説明は省略する。
【００７１】
その他の操作が行われていなければ（ステップＳ３０６：ＮＯ）、ステップＳ３０１に移行する。
【００７２】
上述したように、プロジェクター１は、待機状態ＳＴ１０と、ランプ試験状態ＳＴ１１と、通常投写状態ＳＴ１２との間で遷移することができる。
【００７３】
上述した実施形態によれば、以下の効果が得られる。
（１）プロジェクター１は、待機状態ＳＴ１０において、電源オン操作を受け付けた際に、ランプカバー１１０が取り付けられておらず、且つ、ヒューズ１１ｂが導通状態である場合に、ヒューズ１１ｂを溶断せずに、ランプ１１ａを点灯させるランプ試験状態ＳＴ１１に遷移する。これにより、ランプユニット１１の点灯確認、即ち点灯試験を行うことが可能となる。また、点灯試験を行っても、ヒューズ１１ｂが溶断されることがない。よって、点灯試験が行われたランプユニット１１を他のプロジェクターに装着して、通常投写を開始した際に、当該プロジェクターは当該ランプユニット１１を新品として認識することが可能となり、ランプ点灯累積時間を初期化することが可能となる。よって、ユーザーがランプ点灯累積時間を手動で初期化する必要がないため、利便性が向上する。
【００７４】
（２）プロジェクター１は、ランプユニット１１の点灯試験を行うことが可能である。よって、ランプユニット１１の点灯試験を行うための専用の検査機を作成する必要がないため、有益である。また、プロジェクター１の販売店等で、容易に交換用のランプユニットの点灯確認を行うことが可能となるため、利便性が高い。
【００７５】
（３）プロジェクター１は、ランプカバー１１０が取り外されており、且つ、ヒューズ１１ｂが導通状態である場合に、ランプ試験状態ＳＴ１１に遷移する。つまり、一般のユーザーが、ランプカバー１１０を取り付けて通常の使用方法で使用している状態では、プロジェクター１はランプ試験状態ＳＴ１１に切り換わることはない。これにより、一般のユーザーはランプ試験状態ＳＴ１１の画面を視認することがないため、一般のユーザーが当惑してしまう事態を回避することが可能となる。
【００７６】
（４）プロジェクター１は、ランプ試験状態ＳＴ１１においては、ランプカバー１１０が取り外されている。つまり、点灯試験を行うユーザーは、プロジェクター１のランプカバー１１０を取り外した状態で、ランプユニット１１の点灯試験を行う。これにより、ランプカバー１１０を取り付けたり、取り外したりする手間が低減されるため、ランプユニット１１の点灯試験を効率的に行うことが可能となる。特に、複数のランプユニット１１の点灯試験を行う場合に有益である。
【００７７】
（５）プロジェクター１は、ランプ試験状態ＳＴ１１に遷移した後、所定の時間（２０秒）でランプ１１ａを消灯して待機状態ＳＴ１０に遷移する。これにより、ランプ試験状態ＳＴ１１で、点灯試験を行うユーザーがランプ１１ａを消灯させる必要がないため、利便性が向上する。
【００７８】
（６）プロジェクター１は、ランプ試験状態ＳＴ１１において、入力操作受付部２１に備わる任意のキーの押下を受け付けると、ランプ１１ａを消灯して待機状態ＳＴ１０に遷移する。これにより、点灯試験を行うユーザーは、ランプ１１ａの点灯を確認した後、所望のタイミングでランプ１１ａを消灯させることができるため、利便性が高い。
【００７９】
（７）プロジェクター１は、ランプ試験状態ＳＴ１１においては、ランプ試験画像Ｇ１を投写する。これにより、ランプユニット１１が新品（未使用品）であることをユーザーが認識することが可能になるため、有益である。また、ランプ試験画像Ｇ１によって、ランプカバー１１０が取り付けられていないことをユーザーが認識することが可能になるため、有益である。また、ランプ試験画像Ｇ１によって、所定の時間が経過するか、または、任意のキーの押下によってランプが消灯されることをユーザーが認識することが可能になるため、有益である。
【００８０】
なお、上述した実施形態に限定されず、種々の変更や改良等を加えて実施することが可能である。変形例を以下に述べる。
【００８１】
（変形例１）上記実施形態では、任意のキーが押下されると、ランプ１１ａを消灯して待機状態ＳＴ１０に遷移するものとしたが、所定のキーの押下によりランプ１１ａを消灯して待機状態ＳＴ１０に遷移するものとしてもよい。所定のキーとしては、例えば、入力操作受付部２１に備わる決定キー等としてもよい。ここで、所定のキーの押下が所定の入力操作に相当する。
【００８２】
（変形例２）上記実施形態では、所定の時間の設定値は所定時間記憶部２２に記憶されており、制御部２０によって読み出しが行われるものとしたが、所定の時間の設定値を変更可能としてもよい。例えば、プロジェクター１にソフトウェアとして実装される機能メニューに「時間設定」画面を設け、ユーザーがこの画面上で所定の時間を設定可能としてもよい。この場合、ユーザーが設定した所定の時間の設定値は、制御部２０によって所定時間記憶部２２に記憶される。
【００８３】
（変形例３）上記実施形態では、プロジェクター１を例にして説明しているが、ランプ１１ａを光源として画像を投写する画像投写装置であれば適用することが可能である。例えば、透過型のスクリーンを一体的に備えたリアプロジェクター等に適用することも可能である。
【００８４】
（変形例４）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８５】
１…プロジェクター、１０…画像投写部、１１…ランプユニット、１１ａ…ランプ、１１ｂ…ヒューズ、１２…液晶ライトバルブ、１３…投写レンズ、１４…ライトバルブ駆動部、２０…制御部、２０ａ…タイマー、２１…入力操作受付部、２２…所定時間記憶部、２３…ランプ制御部、２４…ヒューズ溶断回路、２５…ヒューズ導通状態検出部、２６…カバー検出部、２７…ランプ点灯累積時間記憶部、３１…画像信号入力部、３２…画像処理部、３３…ＯＳＤ処理部、１００…筐体、１００ｂ…背面、１００ｓ…側面、１１０…ランプカバー、１２０…開口部。
【図１】
2011022304.tif 000003
【図２】
2011022304.tif 000004
【図３】
2011022304.tif 000005
【図４】
2011022304.tif 000006
【図５】
2011022304.tif 000007
【図６】
2011022304.tif 000008
【図７】
2011022304.tif 000009